(57)【要約】【課題】ＯＳＤ機能によりスクロール表示される階調フォントの文字列の視認性を向上させることができる表示装置、テレビジョン受信機及びプログラムを提供する。【解決手段】文字色と背景色との中間色で段階的に階調表示される輪郭部を有する階調フォントの文字列を画面にスクロール表示する表示装置において、異なる階調に対応する輝度に切り替えて画像を前記画面に表示するのに要する応答時間及び階調フォントの文字列のスクロール速度に基づいて、スクロール方向と反対方向における前記輪郭部の残像幅を算出する残像幅算出部４２と、残像幅算出部４２が算出した残像幅が前記文字列における文字間隔以上か否かを判定する判定部４３と、判定部４３が文字間隔以上と判定した場合、前記輪郭部の幅を低減する低減部４４とを備える。【選択図】図２
2014066762.tif 000002
【特許請求の範囲】
【請求項１】
文字色と背景色との中間色で段階的に階調表示される輪郭部を有する階調フォントの文字列を画面にスクロール表示する表示装置において、
異なる階調に対応する輝度に切り替えて画像を前記画面に表示するのに要する応答時間及び階調フォントの文字列のスクロール速度に基づいて、スクロール方向と反対方向における前記輪郭部の残像幅を算出する算出部と、
該算出部が算出した残像幅が前記文字列における文字間隔以上か否かを判定する判定部と、
該判定部が文字間隔以上と判定した場合、前記輪郭部の幅を低減する低減部と
を備える
ことを特徴とする表示装置。
【請求項２】
前記低減部は前記輪郭部における一又は複数の階調に対応する輪郭部分を削除することにより、該輪郭部の幅を低減するようにしてある
ことを特徴とする請求項１に記載の表示装置。
【請求項３】
前記低減部は、前記輪郭部の階調数が（αｎ−（ｇ−ｐ））／αになるように、一又は複数の階調に対応する輪郭部分を削除するようにしてある
ことを特徴とする請求項２に記載の表示装置。
ただし、
ｎ：前記輪郭部の階調数
ｇ：前記算出部が算出した残像幅
ｐ：前記文字列における文字間隔
α：一又は複数の階調に対応する輪郭部分の各幅
【請求項４】
前記低減部は、前記輪郭部の階調数が（αｎ−（ｇ−ｐ））／αになるように、スクロール方向と反対側の該輪郭部端から一又は複数の階調に対応する輪郭部分を削除するようにしてある
ことを特徴とする請求項３に記載の表示装置。
【請求項５】
前記低減部は前記輪郭部を削除するようにしてある
ことを特徴とする請求項１に記載の表示装置。
【請求項６】
前記低減部は前記輪郭部における一又は複数の階調に対応する輪郭部分の幅を夫々低減することにより、該輪郭部の幅を低減するようにしてある
ことを特徴とする請求項１に記載の表示装置。
【請求項７】
文字色及び背景色並びに該文字色及び背景色の中間色に夫々対応する輝度に基づいて、前記応答時間を算出する応答時間算出部を備える
ことを特徴とする請求項１から請求項６までのいずれか一項に記載の表示装置。
【請求項８】
階調フォントの文字列及び背景画像を重畳して、該文字列及び背景画像からなる重畳画像を前記画面に表示させる重畳部を備え、
前記算出部は前記文字列を前記画面にスクロール表示する場合における残像幅を算出するようにしてあり、
前記低減部は前記輪郭部の幅を低減した階調フォントの文字列を前記重畳部に出力するようにしてある
ことを特徴とする請求項１から請求項７までのいずれか一項に記載の表示装置。
【請求項９】
請求項１から請求項８までのいずれか一項に記載の表示装置と、
テレビジョン放送を受信する受信部と
を備え、
前記画面は前記受信部が受信したテレビジョン放送に係る画像を表示するようにしてある
ことを特徴とするテレビジョン受信機。
【請求項１０】
文字色と背景色との中間色で段階的に階調表示される輪郭部を有する階調フォントの文字列を表示装置の画面にスクロール表示する場合、該輪郭部の表示態様を変更する処理を、前記表示装置を構成するコンピュータに実行させるプログラムにおいて、
異なる階調に対応する輝度に切り替えて画像を前記画面に表示するのに要する応答時間及び階調フォントの文字列のスクロール速度に基づいて、スクロール方向と反対方向における前記輪郭部の残像幅を算出し、
算出した残像幅が前記文字列における文字間隔以上か否かを判定し、
文字間隔以上と判定した場合、前記輪郭部の幅を低減する
処理をコンピュータに実行させることを特徴とするプログラム。
【発明の詳細な説明】
【技術分野】
【０００１】
本発明は、階調フォントの文字列をスクロール表示する表示装置、テレビジョン受信機及びプログラムに関する。
【背景技術】
【０００２】
画面又は画面における表示領域よりも大きな表示内容を表示するために、スクロール表示機能を備えた表示装置がある。しかし、階調フォントの文字列をスクロール表示する場合、表示装置に過剰な負荷がかかる場合がある。そこで、表示装置にかかる負荷を低減するために、スクロール速度が閾値を超えた場合、階調フォントの階調設定数を少なくする表示制御装置がある（例えば、特許文献１）。
【先行技術文献】
【特許文献】
【０００３】
【特許文献１】特開２００９−１３９４５２号公報
【発明の概要】
【発明が解決しようとする課題】
【０００４】
ところで、表示装置が画面に文字を表示する応答時間と、スクロール速度との兼ね合いから、ＯＳＤ（On-Screen Display）機能により画面に表示される文字の残像がスクロール方向と反対側に延び、延びた文字の残像が後続する文字に接合することがある。かかる場合、ＯＳＤ表示による文字列の視認性が悪化する。
【０００５】
本発明は、かかる事情に鑑みてなされたものである。その目的は、ＯＳＤ機能によりスクロール表示される階調フォントの文字列の視認性を向上させることができる表示装置、テレビジョン受信機及びプログラムを提供することにある。
【課題を解決するための手段】
【０００６】
本願に係る表示装置は、文字色と背景色との中間色で段階的に階調表示される輪郭部を有する階調フォントの文字列を画面にスクロール表示する表示装置において、異なる階調に対応する輝度に切り替えて画像を前記画面に表示するのに要する応答時間及び階調フォントの文字列のスクロール速度に基づいて、スクロール方向と反対方向における前記輪郭部の残像幅を算出する算出部と、該算出部が算出した残像幅が前記文字列における文字間隔以上か否かを判定する判定部と、該判定部が文字間隔以上と判定した場合、前記輪郭部の幅を低減する低減部とを備えることを特徴とする。
【０００７】
本願に係る表示装置では、算出部、判定部及び低減部を備えている。算出部は、応答時間と階調フォントの文字列のスクロール速度とに基づいて、スクロール方向と反対方向における階調フォントの文字の残像幅を算出する。ここで、応答時間は、異なる階調に対応する輝度に切り替えて画像を画面に表示するのに要する時間である。判定部は、算出した残像幅が文字列における文字間隔以上か否かを判定する。低減部は、判定部が算出した残像幅が文字間隔以上と判定した場合、輪郭部の幅を低減する。
【０００８】
本願に係る表示装置は、前記低減部は前記輪郭部における一又は複数の階調に対応する輪郭部分を削除することにより、該輪郭部の幅を低減するようにしてあることを特徴とする。
【０００９】
本願に係る表示装置では、低減部は輪郭部における一又は複数の階調に対応する輪郭部分を削除することにより、輪郭部の幅を低減する。
【００１０】
本願に係る表示装置は、前記低減部は、前記輪郭部の階調数が（αｎ−（ｇ−ｐ））／αになるように、一又は複数の階調に対応する輪郭部分を削除するようにしてあることを特徴とする。
ただし、
ｎ：前記輪郭部の階調数
ｇ：前記算出部が算出した残像幅
ｐ：前記文字列における文字間隔
α：一又は複数の階調に対応する輪郭部分の各幅
【００１１】
本願に係る表示装置では、低減部は、輪郭部の階調数がαｎ−（ｇ−ｐ））／αになるように、一又は複数の階調に対応する輪郭部分を削除する。ただし、ｎは輪郭部の階調数、ｇは算出した残像幅、ｐは文字列における文字間隔、αは一又は複数の階調に対応する輪郭部分の各幅である。
【００１２】
本願に係る表示装置は、前記低減部は、前記輪郭部の階調数が（αｎ−（ｇ−ｐ））／αになるように、スクロール方向と反対側の該輪郭部端から一又は複数の階調に対応する輪郭部分を削除するようにしてあることを特徴とする。
【００１３】
本願に係る表示装置では、低減部は、輪郭部の階調数が（αｎ−（ｇ−ｐ））／αになるように、スクロール方向と反対側の輪郭部端から一又は複数の階調に対応する輪郭部分を削除する。
【００１４】
本願に係る表示装置は、前記低減部は前記輪郭部を削除するようにしてあることを特徴とする。
【００１５】
本願に係る表示装置では、低減部は、輪郭部を削除する。
【００１６】
本願に係る表示装置は、前記低減部は前記輪郭部における一又は複数の階調に対応する輪郭部分の幅を夫々低減することにより、該輪郭部の幅を低減するようにしてあることを特徴とする。
【００１７】
本願に係る表示装置では、低減部は、輪郭部における一又は複数の階調に対応する輪郭部分の幅を夫々低減することにより、輪郭部の幅を低減する。
【００１８】
本願に係る表示装置は、文字色及び背景色並びに該文字色及び背景色の中間色に夫々対応する輝度に基づいて、前記応答時間を算出する応答時間算出部を備えることを特徴とする。
【００１９】
本願に係る表示装置では、応答時間算出部を備えている。応答時間算出部は、文字色及び背景色並びに該文字色及び背景色の中間色に夫々対応する輝度に基づいて、応答時間を算出する。
【００２０】
本願に係る表示装置は、階調フォントの文字列及び背景画像を重畳して、該文字列及び背景画像からなる重畳画像を前記画面に表示させる重畳部を備え、前記算出部は前記文字列を前記画面にスクロール表示する場合における残像幅を算出するようにしてあり、前記低減部は前記輪郭部の幅を低減した階調フォントの文字列を前記重畳部に出力するようにしてあることを特徴とする。
【００２１】
本願に係る表示装置では、重畳部を備えている。重畳部は、階調フォントの文字列と背景画像とを重畳して、階調フォントと背景画像とからなる重畳画像を画面に表示させる。算出部は、階調フォントの文字列を画面にスクロール表示する場合における残像幅を算出する。低減部は、輪郭部の幅を低減した階調フォントの文字列を重畳部に出力する。
【００２２】
本願に係るテレビジョン受信機は、上記に記載の表示装置と、テレビジョン放送を受信する受信部とを備え、前記画面は前記受信部が受信したテレビジョン放送に係る画像を表示するようにしてあることを特徴とする。
【００２３】
本願に係るテレビジョン受信機では、上記の表示装置と、テレビジョン放送を受信する受信部とを備えている。表示装置の画面は、受信部が受信したテレビジョン放送に係る画像を表示する。
【００２４】
本願に係るプログラムは、文字色と背景色との中間色で段階的に階調表示される輪郭部を有する階調フォントの文字列を表示装置の画面にスクロール表示する場合、該輪郭部の表示態様を変更する処理を、前記表示装置を構成するコンピュータに実行させるプログラムにおいて、異なる階調に対応する輝度に切り替えて画像を前記画面に表示するのに要する応答時間及び階調フォントの文字列のスクロール速度に基づいて、スクロール方向と反対方向における前記輪郭部の残像幅を算出し、算出した残像幅が前記文字列における文字間隔以上か否かを判定し、文字間隔以上と判定した場合、前記輪郭部の幅を低減する処理をコンピュータに実行させることを特徴とする。
【００２５】
本願に係るプログラムでは、応答時間と階調フォントの文字列のスクロール速度とに基づいて、スクロール方向と反対方向における階調フォントの輪郭部の残像幅を算出する処理をコンピュータに実行させる。そして、算出した残像幅が階調フォントの文字列における文字間隔以上か否かを判定し、文字間隔以上と判定した場合、輪郭部の幅を低減する処理をコンピュータに実行させる。
【発明の効果】
【００２６】
本願に係る表示装置等によれば、ＯＳＤ機能によりスクロール表示される階調フォントの文字列の視認性を向上させることができる。
【図面の簡単な説明】
【００２７】
【図１】テレビジョン受信機のハードウェア構成例を示すブロック図である。
【図２】テレビジョン受信機の機能構成例を示す機能ブロック図である。
【図３】応答時間及びスクロール速度により残像幅を説明する説明図である。
【図４】一定の画像信号の信号波形に対応して表示部の画面に表示される文字の輝度変化を示す説明図である。
【図５】一定の画像信号の信号波形に対応して表示部の画面に表示される文字の輝度変化を示す説明図である。
【図６】スクロール表示された場合における階調フォントの文字列の見え方を示す説明図である。
【図７】スクロール表示された場合における階調フォントの文字列の見え方を示す概略的な説明図である。
【図８】スクロール表示された場合における階調フォントの文字列の見え方を示す概略的な説明図である。
【図９】スクロール表示された場合における階調フォントの文字列の見え方を示す概略的な説明図である。
【図１０】階調フォントの文字に係る輪郭部の残像幅を低減する処理の手順の一例を示すフローチャートである。
【図１１】テレビジョン受信機が奏する効果を説明する説明図である。
【図１２】テレビジョン受信機が奏する効果を説明する説明図である。
【図１３】テレビジョン受信機が奏する効果を説明する説明図である。
【発明を実施するための形態】
【００２８】
本願に係る一実施例の表示装置は、テレビジョン受信機、電子黒板、チューナに接続して使用されるモニタ、コンピュータに接続して使用されるモニタ及びデジタルサイネージに利用されるディスプレイを含む。また、本願に係る一実施例の表示装置は、タブレット型コンピュータ、スマートフォン及び携帯電話に利用されるディスプレイを含む。以下では、表示装置の一例として、テレビジョン受信機を実施の形態に関する図面に基づいて説明する。
【００２９】
図１は、テレビジョン受信機１のハードウェア構成例を示すブロック図である。テレビジョン受信機１は、受信部１１、外部インタフェース１２、信号処理部１３、画像処理部（重畳部）１４、表示部（画面）１５及びスピーカ１６を含む。また、テレビジョン受信機１は、リモコン受光部１７、ＣＰＵ（算出部、判定部、低減部、応答時間算出部）１８、ＲＡＭ（Random Access Memory）１９、記憶部２０、通信部２１及びディスクドライブ２２を含む。テレビジョン受信機１の各構成部は、バス１ｂ及び各種信号線等を用いて相互に接続されている。
【００３０】
受信部１１は、チューナであり、テレビジョン放送に係る画像信号を受信する。受信部１１は、外部のリモコン（リモートコントローラ）Ｒがリモコン受光部１７に送信した制御信号に基づいて、受信した画像信号のチャンネルを選局し、選局した画像信号を信号処理部１３へ出力する。受信部１１が受信するテレビジョン放送は、地上デジタル放送、デジタル衛星放送、地上アナログ放送等である。
【００３１】
外部インタフェース１２は、外部から画像信号を入力するコネクタ、ケーブルテレビジョン用チューナ及びＵＳＢ（Universal Serial Bus）コネクタを含む。外部インタフェース１２が入力する画像信号は、画像再生装置、ケーブルテレビジョン、ＰＣ（パーソナルコンピュータ）等に係る画像信号である。入力された画像信号がケーブルテレビジョンに係るものである場合、ケーブルテレビジョン用チューナはリモコンＲがリモコン受光部１７に送信した制御信号に基づいて、入力されたケーブルテレビジョンのチャンネルを選局する。ＵＳＢコネクタは、ＵＳＢメモリを接合する接続端子である。外部インタフェース１２は、入力した画像信号を信号処理部１３へ出力する。
【００３２】
信号処理部１３は、受信部１１又は外部インタフェース１２から画像信号を受け付け、所定の信号処理を行う。例えば、信号処理部１３は、受け付けた画像信号を画像データと音声データとに分離する。信号処理部１３は、分離後の画像データを画像処理部１４に出力し、分離後の音声データをスピーカ１６に出力する。
【００３３】
画像処理部１４は、信号処理部１３から受け付けた画像データに各種の画像処理を施す。画像処理部１４は、例えばスクロールされる階調フォントの文字列データを受け付けた場合、当該文字列データに係る画像と、背景画像とを重畳して表示部１５の画面にＯＳＤ（On-Screen Display）表示する処理を施す。
画像処理部１４は、ＯＳＤ表示処理の他に、例えば画像の高画質化処理、画像の揺れ又はぶれを軽減する処理、画像データのノイズ除去処理等を施す。画像処理部１４は、各種の画像処理を施した画像データを表示部１５に出力する。
【００３４】
表示部１５は、例えば液晶パネルモジュール、有機ＥＬ（Electro Luminescence）パネルモジュール又はプラズマパネルモジュールであり、画像を表示する画面を前面に有している。表示部１５は、画像処理部１４から入力された画像データに係る画像を画面に表示する。
スピーカ１６は、信号処理部１３から入力された音声データに応じた音声を出力する。
【００３５】
リモコン受光部１７は、例えば赤外線を受光する受光素子である。リモコン受光部１７は、外部のリモコンＲから例えば赤外線により搬送された制御信号を受信する。リモコン受光部１７は、リモコンＲから受信した制御信号をＣＰＵ１８に出力する。
【００３６】
ＣＰＵ１８は、テレビジョン受信機１の各構成部を制御するプロセッサである。ＣＰＵ１８は、記憶部２０が記憶するプログラム１Ｐを読み出し、読み出したプログラムを実行する。
【００３７】
ＲＡＭ１９は、例えばＳＲＡＭ（Static Random Access Memory）又はＤＲＡＭ（Dynamic Random Access Memory）であり、ＣＰＵ１８が実行する処理の過程で必要な作業変数、データ等を一時的に記憶する。なお、ＲＡＭ１９は主記憶装置の一例であり、ＲＡＭ１９の代わりにフラッシュメモリ、メモリカード等が用いられてもよい。
【００３８】
記憶部２０は、書き換え可能な不揮発性の半導体メモリであり、例えばフラッシュメモリ、メモリカード、ＥＰＲＯＭ（Erasable Programmable Read Only Memory）等である。記憶部２０は、補助記憶装置の一例であり、大容量の情報の記憶が可能なＣＤ（Compact Disc）、ＤＶＤ（Digital Versatile Disc）、ＢＤ（Blu-ray Disc、登録商標）等の光ディスク１ａで代替されてもよい。
【００３９】
記憶部２０は、プログラム１Ｐ、階調フォントデータベース１Ｄ及びグラフィックアプリケーション１Ａを記憶している。プログラム１Ｐは、ＣＰＵ１８が実行するプログラムである。階調フォントデータベース１Ｄは、文字コード、文字サイズ、階調数及びビットマップフォントの階調フォントを対応付けて記憶するデータベースである。階調フォントの階調数は、例えば１６階調、８階調、５階調、４階調、３階調、２階調等である。
【００４０】
グラフィックアプリケーション１Ａは、例えばテレビジョン受信機１の動作条件を設定するための設定画面（メニュー画面）、電子番組表、データ放送、字幕等に係るソフトウェア又はブラウザである。グラフィックアプリケーション１Ａは、文字列を表示する場合、当該文字列を構成する各文字の文字コード、文字サイズ、階調数、文字色及び背景色を保持している。また、グラフィックアプリケーション１Ａは、文字列の文字間隔を保持している。更に、グラフィックアプリケーション１Ａは、表示する文字列の文字数が多いために、表示部１５の画面又は画面における表示領域に当該文字列を表示しきれない場合、当該文字列をスクロール表示するためのスクロール速度を保持している。
【００４１】
通信部２１は、有線又は無線通信のモデム、ＬＡＮカード、ルータ、接続ケーブル等であり、ＬＡＮ（Local Area Network）、ＷＡＮ（Wide Area Network）、インターネット等のネットワークＮと接続されている。テレビジョン受信機１は、通信部２１を介して、インターネット放送及びビデオオンデマンド（video on demand、ＶＯＤ）放送を受信することが可能である。
【００４２】
ディスクドライブ２２は、外部の記憶媒体であるＣＤ、ＤＶＤ、ＢＤ等の光ディスク１ａから情報を読み出し、光ディスク１ａに情報を記録する。例えば、ディスクドライブ２２は、受信部１１が受信したテレビジョン放送に係る画像データを録画し、録画した画像データを信号処理部１３に出力する。
【００４３】
テレビジョン受信機１に含まれるコンピュータを動作させるためのプログラム１Ｐは、ディスクドライブ２２を介して光ディスク１ａから読み込まれてもよい。あるいは、プログラム１Ｐは、通信部２１を介して外部の情報処理装置又は記録装置から読み込まれてもよい。更に、プログラム１Ｐを記録したＵＳＢメモリ等の半導体メモリ１ｃが、外部インタフェース１２に接続されてもよいし、テレビジョン受信機１内に実装されていてもよい。
【００４４】
図２は、テレビジョン受信機１の機能構成例を示す機能ブロック図である。図２は、階調フォントの文字列を表示部１５の画面に表示又はスクロール表示する場合におけるテレビジョン受信機１の機能部を示している。図２の各機能部は、ＣＰＵ１８が記憶部２０に記録されたプログラム１Ｐに基づいて動作することにより実行される。
【００４５】
テレビジョン受信機１は、検索部３１、中間色算出部３２及び描画部３３を含む。検索部３１は、階調フォントデータベース１Ｄから階調フォントを検索する機能部である。検索部３１は、グラフィックアプリケーション１Ａから文字コード、文字サイズ及び階調数を受け付ける。検索部３１は、受け付けた文字コード、文字サイズ及び階調数を検索キーにして、階調フォントデータベース１Ｄから階調フォントを検索する。検索部３１は検索した階調フォントを描画部３３に出力する。
【００４６】
中間色算出部３２は、階調フォントを描画するための中間色を算出する機能部である。中間色算出部３２は、グラフィックアプリケーション１Ａから文字色、背景色及び階調数を受け付ける。中間色算出部３２は、受け付けた文字色、背景色及び階調数に基づいて、中間色を算出する。中間色算出部３２が算出する中間色は、１色である場合もあれば、複数色である場合もある。中間色算出部３２が算出する中間色の数は、グラフィックアプリケーション１Ａから受け付けた階調数に応じて異なる。中間色算出部３２は、算出した中間色と、受け付けた文字色及び背景色とを描画部３３に出力する。
【００４７】
描画部３３は、文字及び背景をグラフィックプレーン３４に描画する機能部である。描画部３３は、検索部３１から階調フォントを受け付ける。描画部３３は、中間色算出部３２から文字色、背景色及び中間色を受け付ける。描画部３３は、受け付けた階調フォントの各ドットに階調数に対応した色付けを行う。描画部３３は、色付けした文字と、その背景をグラフィックプレーン３４に描画する。描画部３３により描画されたグラフィックプレーン３４は、信号処理部１３を介して画像処理部１４に出力され、画像処理部１４によりＯＳＤ表示処理が施される。
【００４８】
テレビジョン受信機１は、応答時間算出部４１、残像幅算出部４２、判定部４３及び低減部４４を含む。応答時間算出部４１は、表示部１５の液晶画面、有機ＥＬ画面、プラズマ画面等に応じて、画面に階調フォントの文字を表示するのに要する応答時間を算出する機能部である。応答時間算出部４１は、中間色算出部３２から文字色、中間色及び背景色を受け付け、受け付けた文字色、中間色及び背景色に夫々対応する輝度に基づいて、応答時間を算出する。応答時間算出部４１は、算出した応答時間を残像幅算出部４２に出力する。
なお、応答時間算出部４１の詳細は、後述する。
【００４９】
残像幅算出部４２は、階調フォントの文字列がスクロール表示された場合、階調フォントの文字の輪郭部の残像がスクロール方向と反対側に延びる幅の長さを算出する機能部である。以下、階調フォントの文字における輪郭部の残像がスクロール方向と反対側に延びる幅又は当該幅の長さを残像幅と呼ぶ。
【００５０】
残像幅算出部４２は、応答時間算出部４１から応答時間を受け付ける。また、残像幅算出部４２は、グラフィックアプリケーション１Ａから文字列のスクロール速度を受け付ける。残像幅算出部４２は、受け付けた応答時間と、スクロール速度とに基づいて、残像幅を算出する。残像幅算出部４２は、算出した残像幅とスクロール方向とを判定部４３に出力する。
なお、残像幅算出部４２の詳細は、後述する。
【００５１】
判定部４３は、残像幅が文字列における文字間隔（文字間のピッチ幅）以上か否かを判定する機能部である。残像幅が文字間隔以上である場合、階調フォントの文字列を構成する文字同士が接合し、階調フォントの文字列の視認性が低下する。そこで、テレビジョン受信機１は、階調フォントの文字同士が接合すると予測される場合、残像幅の長さを短くする処理を行う。
【００５２】
判定部４３は、残像幅算出部４２から残像幅を受け付ける。また、判定部４３は、グラフィックアプリケーション１Ａから文字間隔を受け付ける。判定部４３は、受け付けた残像幅が受け付けた文字間隔以上か否かを判定する。判定部４３は、判定結果を低減部４４に出力する。また、判定部４３は、残像幅、文字間隔及び残像幅算出部４２から受け付けたスクロール方向を低減部４４に出力する。
【００５３】
低減部４４は、判定部４３から判定結果を受け付け、受け付けた判定結果に応じて、階調フォントの文字における残像幅の長さを短くする機能部である。
低減部４４は、判定部４３から残像幅が文字間隔以上ではないという判定結果を受け付けた場合、何もしない。低減部４４は、判定部４３から残像幅が文字間隔以上であるという判定結果を受け付けた場合、階調フォントの輪郭部の幅を狭くする方向に変更する。以下に、低減部４４が階調フォントの輪郭部の幅を狭くする処理について説明する。
【００５４】
低減部４４は、検索部３１から階調フォントを受け付ける。低減部４４は、判定部４３から残像幅が文字間隔以上であるという判定結果、残像幅、文字間隔及びスクロール方向を受け付ける。なお、低減部４４は、文字間隔及びスクロール方向をグラフィックアプリケーション１Ａから直接受け付けてもよい。
【００５５】
いま、残像幅をｇ、文字間隔をｐとする。また、低減部４４が受け付けた階調フォントの輪郭部の階調数をｎ、輪郭部の各階調に対応する輪郭部分の各幅をαとする。
低減部４４は、輪郭部の階調数が（αｎ−（ｇ−ｐ））/αまで減少するように、スクロール方向と反対側の当該輪郭部端からスクロール方向に向かって、各階調に対応する輪郭部分を削除する。なお、変更後の階調数（αｎ−（ｇ−ｐ））/αは、各階調に対応する輪郭部分が例えば１ピクセルの幅を有する場合、ｎ−（ｇ−ｐ）になる。
【００５６】
低減部４４が実行する処理は、スクロールにより文字列の文字が接合した場合、スクロール方向と反対側に延びた輪郭部の幅を削減することにより、文字が接合しないようにする処理である。これにより、テレビジョン受信機１は、スクロールにより悪化する階調フォントの文字列の視認性を向上させることができる。
低減部４４は、各階調に対応する輪郭部分を削除した修正階調フォントと変更後の階調数とを描画部３３に出力する。
【００５７】
描画部３３は、低減部４４から修正階調フォントを受け付けた場合、受け付けた修正階調フォントの各ドットに、低減部４４が変更した階調数（αｎ−（ｇ−ｐ））/αに対応した色付けを行う。描画部３３は、色付けした文字と、その背景をグラフィックプレーン３４に描画する。描画部３３により描画されたグラフィックプレーン３４は、信号処理部１３を介して画像処理部１４に出力され、画像処理部１４によりＯＳＤ表示処理が施される。
【００５８】
次に、残像幅算出部４２の機能について、詳細に説明する。
図３は、応答時間及びスクロール速度により残像幅を説明する説明図である。図３Ａは、画像信号の信号波形を示す説明図である。図３Ａの横軸は、時間である。図３Ａの縦軸は、信号レベルである。図３Ｂは、図３Ａにおける画像信号の信号波形に対応して表示部１５の画面に表示される文字の輝度変化を示す説明図である。図３Ｂの横軸は、時間である。図３Ｂの縦軸は、輝度である。例えば、文字色は白、背景色は黒である。図３Ｂにおける右上がりの直線の傾き及び右下がりの直線の傾きは、表示部１５の応答速度に対応する。
【００５９】
表示部１５の画面には、当初背景色が描画されている。しかし、画像信号が入力された時点から文字部分の輝度が高くなりはじめ、活性状態（黒）から非活性状態（白）への応答時間Ｔｂｗが経過したとき、輝度は最高になる。その後、文字部分の輝度は低下し始め、非活性状態（白）から活性状態（黒）へ戻る応答時間Ｔｗｂが経過したとき、輝度は最低になり、文字の描画が終了する。
文字は一定速度でスクロールされている。そのため、白に相当する画像信号が例えば応答時間Ｔｂｗだけ出力されても、白色文字の描画には応答時間Ｔｗｂの分だけ余計に時間がかかる。そして、応答時間Ｔｗｂの間、表示部１５の画面に描かれた文字にはスクロール移動のために残像が生じる。
【００６０】
図４は、一定の画像信号の信号波形に対応して表示部１５の画面に表示される文字の輝度変化を示す説明図である。図４の横軸は、時間である。図４の縦軸は、輝度である。例えば、文字色は白、背景色は黒である。図４において、黒から白への応答時間Ｔｂｗ及び白から黒への応答時間Ｔｗｂは、共に例えば２０ｍｓｅｃである。また、スクロールにより階調フォントの文字が輪郭部の例えば１階調に対応する輪郭部分の幅だけ移動するのに要する時間をスクロール時間ｔｓとした場合、図４におけるｔｓは１６ｍｓｅｃである。
【００６１】
画像信号が入力された時点から文字部分の輝度が高くなりはじめ、スクロール時間ｔｓ＝１６ｍｓｅｃが経過したとき、まだ表示部１５の画面は信号レベルの輝度に対応する文字（又は輪郭部分）を描いていない。画像信号が入力された時点から応答時間Ｔｂｗだけ経過したとき、すなわちスクロール時間ｔｓ経過時から４ｍｓｅｃ経過後に、文字（又は輪郭部分）の輝度は最高に達する。スクロール時間ｔｓ経過時から４ｍｓｅｃの間に描かれた文字（又は輪郭部分）の像は残像となる。
その後、文字（又は輪郭部分）の輝度は低下し始める。スクロール時間ｔｓ＝１６ｍｓｅｃが経過したとき、まだ表示部１５の画面は信号レベルの輝度に対応する文字（又は輪郭部分）を描ききっていない。スクロール時間ｔｓ経過時から４ｍｓｅｃ経過後に、表示部１５の画面は文字（又は輪郭部分）の描画を終了する。そのため、スクロール時間ｔｓ経過時から４ｍｓｅｃの間に描かれた文字（又は輪郭部分）の像は残像となる。
【００６２】
つまり、Ｔｂｗ＝Ｔｗｂ＜ｔｓである場合、残像幅ｇ＝０となる。他方、Ｔｂｗ＝Ｔｗｂ＞ｔｓである場合、残像幅ｇ＞０となる。
残像幅算出部４２は、応答時間算出部４１から受け付けた応答時間と、グラフィックアプリケーション１Ａから受け付けたスクロール速度とを用いて、スクロール時間ｔｓが経過してから応答時間が終了するまでの間に表示部１５の画面が描く階調フォント文字の残像について、スクロール方向と反対方向の幅の長さ、すなわち残像幅ｇを算出する。
【００６３】
なお、応答時間とスクロール時間ｔｓとの差が大きくなるほど、残像幅ｇは増大する。そのため、残像幅ｇはスクロール速度に比例し、例えばスクロール速度が２倍になれば、残像幅ｇは２倍になる。
上述では、残像幅算出部４２は、応答時間を応答時間算出部４１から受け付けた。しかし、残像幅算出部４２は、予め設定された応答時間を用いて、残像幅を算出してもよい。かかる場合、応答時間算出部４１はなくてもよい。
また、上述では、残像幅算出部４２は、スクロール速度をグラフィックアプリケーション１Ａから受け付けた。しかし、残像幅算出部４２は、予め設定されたスクロール速度を用いて、残像幅を算出してもよい。かかる場合、グラフィックアプリケーション１Ａは、スクロール速度を残像幅算出部４２に出力しなくてもよい。
【００６４】
次に、応答時間算出部４１の機能について、詳細に説明する。
図５は、一定の画像信号の信号波形に対応して表示部１５の画面に表示される文字の輝度変化を示す説明図である。図５の横軸は、時間である。図５の縦軸は、輝度である。例えば、文字色はライトグレー、背景色はダークグレーである。図５において、ダークグレーからライトグレーへの応答時間Ｔｄｌ及びライトグレーからダークグレーへの応答時間Ｔｌｄは、共に例えば４０ｍｓｅｃである。また、スクロールにより階調フォントの文字が輪郭部の例えば１階調に対応する輪郭部分の幅だけ移動するのに要する時間をスクロール時間ｔｓとした場合、図５におけるｔｓは１６ｍｓｅｃである。
【００６５】
表示部１５の応答時間は、輝度変化の程度に応じて異なる。表示部１５の応答時間は、輝度変化が大きい場合には短く、輝度変化が小さい場合には長い。そこで、図５における応答時間Ｔｄｌは、図４における応答時間Ｔｂｗよりも長く設定されている。また、図５における最高輝度は、図４における最高輝度よりも低く設定されている。図４及び図５において、応答時間及び最高輝度の違いは、輝度の時間変化を示す直線の傾き、すなわち応答速度の違いとして表現されている。他方、図４及び図５のどちらにおいても、スクロール時間ｔｓ＝１６ｍｓｅｃは同じに設定されている。すなわち、図４及び図５のどちらにおいても、スクロール速度は、同じとしている。
【００６６】
輝度変化の程度が小さいほど、応答時間は長くなるため、表示部１５は文字（又は輪郭部分）を描くのにより長い時間を要する。そのため、スクロール速度が変化しない場合、輝度変化の程度が小さいほど、表示部１５が描く残像に係る残像幅ｇの長さは長くなる。従って、階調フォントの文字列を一定のスクロール速度でスクロール表示した場合、階調フォントにおける明暗の差が小さいほど、文字は接合しやすくなる。
【００６７】
そこで、応答時間算出部４１は、中間色算出部３２から文字色、中間色及び背景色を受け付け、これらの色の輝度の違いを考慮して、応答時間を算出する。その際、応答時間算出部４１は、文字→輪郭部→背景の順に複数の応答時間を夫々算出する。また、輪郭部が複数の階調から構成されている場合、輪郭部内部での輝度変化も考慮して複数の応答時間を夫々算出する。
【００６８】
応答時間算出部４１は、算出した複数の応答時間を残像幅算出部４２に出力する。残像幅算出部４２は、受け付けたスクロール速度及び複数の応答時間に基づいて、各階調に対応する輪郭部分の幅を夫々算出し、夫々算出した輪郭部分の幅から１つの文字の描画により生じる残像幅を求める。残像幅算出部４２は、算出した残像幅を判定部４３に出力する。
【００６９】
応答時間算出部４１は、算出した複数の応答時間を残像幅算出部４２に出力するのではなく、算出した複数の応答時間のうち、１つの代表応答時間のみを残像幅算出部４２に出力してもよい。かかる場合、残像幅算出部４２は、残像幅の算出にあたり、１つの応答時間しか使用しないため、処理に対する負荷が低減される。
【００７０】
ここでの代表応答時間は、例えば複数の応答時間の平均値、最大値又は最小値である。代表応答時間として、応答時間算出部４１が例えば最大値を残像幅算出部４２に出力する場合、残像幅算出部４２は最も長い残像幅を算出することになる。かかる場合、階調フォントの文字列の接合を回避する目的に照らした場合、より安全側に立つこととなり、スクロールされる階調フォントの文字列において、より高い視認性を確保することができる。
【００７１】
なお、応答時間算出部４１は、代表応答時間として最大の応答時間を残像幅算出部４２に出力する場合、複数の応答時間を算出しなくてもよい。かかる場合、応答時間算出部４１は、中間色算出部３２から受け付けた文字色、中間色及び背景色のうち、輝度変化の程度が最も小さい輝度変化から１つの応答時間のみを算出し、算出した１つの応答時間を残像幅算出部４２に出力する。
【００７２】
あるいは、応答時間算出部４１は、応答時間を算出するのではなく、応答時間を記憶部２０から検索してもよい。例えば、様々な輝度変化の程度に対応する応答時間を予め記憶部２０に記憶しておく。応答時間算出部４１は、中間色算出部３２から受け付けた文字色、中間色及び背景色に対応する輝度に基づいて、取得したい応答時間を記憶部２０から検索する。
【００７３】
次に、テレビジョン受信機１の動作について、具体例を提示して説明する。
図６は、スクロール表示された場合における階調フォントの文字列の見え方を示す説明図である。図６Ａは、階調フォントの文字列をＯＳＤ機能により表示部１５の画面に静止した状態で表示した様子を示している。図６Ｂは、階調フォントの文字列をＯＳＤ機能により表示部１５の画面にスクロール表示した様子を示している。スクロール方向は、右から左へ向かう方向である。図６Ｃは、輪郭部を削除した階調フォントの文字列をＯＳＤ機能により表示部１５の画面にスクロール表示した様子を示している。スクロール方向は、右から左へ向かう方向である。
【００７４】
図６Ａにおいて、「ｌｉｔｔｌｅ」における「ｅ」以外の文字列が文字及び背景を含めて３階調の階調フォントで表示されている。文字色は白、背景色は黒、中間色はグレーである。「ｅ」は４階調の階調フォントで表示されている。
図６Ｂにおいて、「ｌｉｔｔｌｅ」の文字列が左方向へ一定速度でスクロール表示されている。文字及び輪郭部にはスクロール方向と反対側に残像が発生し、当該残像はスクロール方向と反対側である右側へ延びている。そのため、「ｌｉｔｔｌｅ」の各文字は接合し、文字間隔はゼロになっている。換言した場合、残像幅ｇが当初の文字間隔ｐよりも大きく、「ｌｉｔｔｌｅ」の文字同士はくっついている。そして、「ｌｉｔｔｌｅ」の各文字の分離性は低下し、「ｌｉｔｔｌｅ」の視認性は悪化している。
【００７５】
図６Ｃにおいて、階調フォントの輪郭部は削除されている。そのため、図６Ｃの「ｌｉｔｔｌｅ」の各文字は分離しており、「ｌｉｔｔｌｅ」の視認性は図６Ｂの場合よりも向上している。
上述では、低減部４４は輪郭部の階調数をｎから（αｎ−（ｇ−ｐ））/αに変更した。しかし、図６Ｃに示すように、低減部４４は、輪郭部の階調数をゼロに変更してもよい。すなわち、低減部４４は、階調フォントから輪郭部を削除した修正階調フォントを描画部３３に出力してもよい。
【００７６】
図７は、スクロール表示された場合における階調フォントの文字列の見え方を示す概略的な説明図である。図７において、階調数は文字色及び背景色を含めて５階調である。文字色は白、背景色は黒、輪郭部の中間色は、文字から背景に向かってライトグレー、グレー及びダークグレーである。
図７では、輪郭部の各階調に対応する輪郭部分の幅が１ピクセルである場合を仮定している。当初の文字間隔ｐは、１ピクセルである。
【００７７】
図７Ａは、スクロール前の階調フォントの文字の見え方を示している。図７Ｂは、残像がないと仮定した場合において、右から左方向に１ピクセルだけスクロールした後の階調フォントの見え方を示している。図７Ｃは、右から左方向に１ピクセルだけスクロールした後の階調フォントの見え方を、残像が生じた場合について示している。図７Ｃでは、残像幅ｇが当初の文字間隔ｐより小さい場合（ｇ＜ｐ）を仮定している。
【００７８】
図７Ｄは、階調フォントの文字、輪郭部及び背景の階調を示している。横軸は距離であり、縦軸は明るさである。縦軸の上方は明、下方は暗を示している。点線は、図７Ｂに対応する階調を示している。実線は、図７Ｃに対応する階調を示している。図７Ｄにおいて、文字、輪郭部及び背景における点線も実線も階段状である。図７Ｃに対応する実線は、文字に対して最も外側に位置する輪郭部分が背景と接していることから、輪郭部と背景との間に有意な輝度差があることを示している。そのため、階調フォントの視認性に特段の不都合は認められない。
【００７９】
図７Ｃでは、応答速度に対してスクロール速度が遅く、残像幅ｇは当初の文字間隔ｐより小さいため、文字同士は接合していない。かかる場合、判定部４３は残像幅ｇが文字間隔ｐ以上ではないと判定し、低減部４４は何もしない。
【００８０】
図８は、スクロール表示された場合における階調フォントの文字列の見え方を示す概略的な説明図である。図８における階調数、文字色、背景色及び輪郭部の中間色は、図７と同じである。
図８では、輪郭部における各階調に対応する輪郭部分の幅が１ピクセルである場合を仮定している。当初の文字間隔ｐは、１ピクセルである。
【００８１】
図８Ａは、スクロール前の階調フォントの文字の見え方を示している。図８Ｂは、残像がないと仮定した場合において、右から左方向に１ピクセルだけスクロールした後の階調フォントの見え方を示している。図８Ｃは、右から左方向に１ピクセルだけスクロールした後の階調フォントの見え方を、残像が生じた場合について示している。図８Ｃでは、残像幅ｇが当初の文字間隔ｐより大きい場合（ｇ＞ｐ）を仮定している。
【００８２】
図８Ｄは、階調フォントの文字、輪郭部及び背景の階調を示している。横軸は距離であり、縦軸は明るさである。縦軸の上方は明、下方は暗を示している。点線は、図８Ｂに対応する階調を示している。実線は、図８Ｃに対応する階調を示している。図８Ｄにおいて、文字、輪郭部及び背景における点線も実線も階段状である。ただし、図８Ｃに対応する実線は、文字に対して最も外側に位置するダークグレーの輪郭部分が隣り合う文字同士の間で接合していることから、文字同士の間に輝度差がないことを示している。そのため、階調フォントの視認性は低下している。
【００８３】
図８Ｅは、低減部４４が輪郭部の幅を削減した場合における階調フォントの文字、輪郭部及び背景の階調を示している。横軸は距離であり、縦軸は明るさである。縦軸の上方は明、下方は暗を示している。点線は、図８Ｂに対応する階調を示している。実線は、図８Ｃの輪郭部のうち、最も外側に位置するダークグレーの輪郭部分が削除され、削除された輪郭部分に背景色の黒が色付けされた場合の階調を示している。図８Ｅにおいて、文字、輪郭部及び背景における点線も実線も階段状である。ただし、図８Ｅにおける実線は、輪郭部の最も外側の端と背景との間に２階段の階調に相当する輝度差が確保されていることを示している。すなわち、最も外側に位置するグレーの輪郭部分と黒色の背景との間に輝度差が確保されており、階調フォントの文字の視認性は残像がない場合（図８Ｂ）と同様に良好である。
【００８４】
図８Ｃでは、応答速度に対してスクロール速度が速く、残像幅ｇが当初の文字間隔ｐより大きいため、文字同士が接合している。かかる場合、判定部４３は、残像幅ｇが文字間隔ｐ以上であると判定する。低減部４４は、輪郭部の階調数がｎ−（ｇ−ｐ）になるように、スクロール方向と反対側の輪郭部右端から左方向に向かって、各階調に対応する輪郭部分を削除する。具体的には、低減部４４は、輪郭部の階調数３を例えば２に削減し、最も右側に位置するダークグレーの輪郭部分が削除された修正階調フォントを生成する。低減部４４は、修正階調フォントと、変更した階調数とを描画部３３に出力する。
【００８５】
なお、低減部４４は、修正階調フォントを生成するのではなく、修正階調フォントと同じ階調数を有する階調フォントを階調フォントデータベース１Ｄから検索してもよい。かかる場合、低減部４４は、検索により取得した階調フォントと、変更後の階調数とを描画部３３に出力する。
【００８６】
描画部３３は、低減部４４から修正階調フォントと、変更された階調数とを受け付けた場合、受け付けた修正階調フォントの各ドットに、低減部４４が変更した階調数（αｎ−（ｇ−ｐ））/αに対応した色付けを行う。描画部３３は、色付けした文字と、その背景をグラフィックプレーン３４に描画する。描画部３３により描画されたグラフィックプレーン３４は、信号処理部１３を介して画像処理部１４に出力され、画像処理部１４によりＯＳＤ表示処理が施される。
【００８７】
図９は、スクロール表示された場合における階調フォントの文字列の見え方を示す概略的な説明図である。図９において、輪郭部の階調数はｎ階調である。文字色は白、背景色は黒、輪郭部の中間色は、文字から背景に向かってｎ段階のグレースケールで色付けされる色である。図９では、輪郭部における各階調に対応する輪郭部分の幅がαピクセルである場合を仮定している。当初の文字間隔は、ｐピクセルである。
【００８８】
図９Ａは、スクロール前の階調フォントの文字の見え方を示している。ただし、輪郭部について３階調までを示し、４階調以上の輪郭部分及び背景は、白抜きの「・・・」で省略している。
図９Ｂは、階調フォントの文字、輪郭部及び背景の階調を示している。図９Ｂの横軸は距離であり、縦軸は明るさである。縦軸の上方は明、下方は暗を示している。点線は、図９Ａに対応する階調を示している。実線は、スクロールにより残像幅ｇが生じた場合の階調を示している。図９Ｂにおいて、文字、輪郭部及び背景における点線も実線も傾斜した直線状である。より正確には、輪郭部の明るさは階段状の階調分布になるが、図９Ｂはｎが大きい場合、直線近似が可能なことを示している。
【００８９】
図９を参照して、低減部４４により変更される輪郭部の階調数が（αｎ−（ｇ−ｐ））/αであることを説明する。
輪郭部の階調数はｎであり、各階調に対応する輪郭部分の幅がαピクセルである場合、変更前の輪郭部の幅はαｎピクセルである。他方、スクロールにより生じた残像幅ｇのために文字同士が接合した場合、当初の文字間隔ｐピクセルは消失する。残像幅ｇが文字間隔ｐよりも長い長さまで延びた場合、残像はｇ−ｐピクセルの長さだけスクロール方向に対して後方の文字に重なる。そこで、後方の文字に重なる残像の幅ｇ−ｐだけ輪郭部の幅αｎピクセルを狭くした場合、その長さはαｎ−（ｇ−ｐ）ピクセルとなる。この長さを各階調に対応する輪郭部分の幅αで除算することにより、変更後の階調数（αｎ−（ｇ−ｐ））/αが算出される。
【００９０】
図１０は、階調フォントの文字に係る輪郭部の残像幅を低減する処理の手順の一例を示すフローチャートである。
ＣＰＵ１８は、表示部１５の画面における表示領域に階調フォントの文字列が収まるか否かを判定する（ステップＳ１）。ＣＰＵ１８は、表示部１５の画面における表示領域に階調フォントの文字列が収まると判定した場合（ステップＳ１：ＹＥＳ）、処理を終了する。ＣＰＵ１８は、表示部１５の画面における表示領域に階調フォントの文字列が収まらないと判定した場合（ステップＳ１：ＮＯ）、階調フォントの文字列をスクロール表示するように画像処理部１４に指示をする（ステップＳ２）。
【００９１】
なお、ステップＳ２において、画像処理部１４は、スクロール対象となる文字列の画像データ（グラフィックプレーン３４）とスクロール対象とならない背景画像の画像データとを、例えば別の記憶手段に展開する。画像処理部１４は、別の記憶手段に展開した文字列の画像データと、背景画像の画像データとを重畳し、重畳した画像データを表示部１５に出力する。画像処理部１４は、スクロール対象となる文字列の画像データを記憶手段にて次々と更新展開する一方で、更新展開した文字列の画像データを同一の背景画像の画像データと重畳し、表示部１５に出力する。
【００９２】
ＣＰＵ１８は、表示部２０の画面における応答時間と、スクロール速度とに基づいて、階調フォントの文字の残像に係る残像幅ｇを算出する（ステップＳ３）。ＣＰＵ１８は、算出した残像幅ｇが文字間隔ｐ以上か否かを判定する（ステップＳ４）。ＣＰＵ１８は、スクロールによる残像幅ｇが文字間隔ｐ以上ではないと判定した場合（ステップＳ４：ＮＯ）、処理を終了する。
【００９３】
ＣＰＵ１８は、スクロールによる残像幅ｇが文字間隔ｐ以上であると判定した場合（ステップＳ４：ＹＥＳ）、次の処理を実行する。すなわち、ＣＰＵ１８は、輪郭部の階調数がｎ−（ｇ−ｐ）まで減少するように、スクロール方向と反対側の当該輪郭部端からスクロール方向に向かって、各階調に対応する輪郭部分を削除し（ステップＳ５）、処理を終了する。なお、ここでは、１階調毎に１ピクセルの幅を有する輪郭部を仮定している。また、ｎは、変更前の時点における階調フォントの輪郭部の階調数である。
【００９４】
本実施の形態では、階調フォントの文字列を表示部１５の画面にスクロール表示する場合、スクロール方向を横方向又は左右方向とした。しかし、スクロール方向は、横方向又は左右方向に限らず、上下方向又は斜め方向でもよい。
【００９５】
本実施の形態では、階調フォントの例として、文字色が白、背景色が黒の場合を扱った。しかし、文字色及び背景色は多色であってもよいことは勿論である。
【００９６】
本実施の形態では、輪郭部の幅を狭くするにあたり、テレビジョン受信機１は、スクロール方向と反対側の輪郭部端からスクロール方向に向かって、各階調に対応する輪郭部分を削除した。しかし、テレビジョン受信機１は、各階調に対応する輪郭部分の幅を夫々狭くすることにより、輪郭部全体の幅を狭くしてもよい。
また、テレビジョン受信機１は、スクロール方向側の輪郭部端からスクロール方向と反対方向に向かって、各階調に対応する輪郭部分を削除してもよい。あるいは、テレビジョン受信機１は、各階調に対応する輪郭部分を、スクロール方向と反対側から又はスクロール方向側から一又は複数階調ずつ飛び飛びに間引くことにより、輪郭部全体の幅を狭くしてもよい。
【００９７】
本実施の形態では、テレビジョン受信機１は、残像幅が文字間隔以上である場合、輪郭部の幅を狭くした。しかし、テレビジョン受信機１は、残像幅が文字間隔以上である場合、輪郭部の幅を変更せず、文字間隔を残像幅より長い長さに変更してもよい。そのためには、低減部４４は、判定部４３から残像幅が文字間隔以上であるという判定結果を受け付けた場合、文字間隔を当初の長さから残像幅より長い長さに変更する。低減部４４は、変更した文字間隔を描画部３３に出力する。描画部３３は、変更後の文字間隔で階調フォントの文字列をグラフィックプレーン３４に描画する。
これにより、階調フォントの文字と背景との間に階調差が確保され、階調フォントの文字列の視認性を低下させないようにすることができる。
【００９８】
テレビジョン受信機１によれば、ＯＳＤ機能によりスクロール表示される階調フォントの文字列の視認性を向上させることができる。
図１１、図１２及び図１３は、テレビジョン受信機１が奏する効果を説明する説明図である。図１１は、表示部１５の画面における応答速度に対してスクロール速度が遅い場合、テレビジョン受信機１は何ら処理をしないことを示す説明図である。図１２は、表示部１５の画面における応答速度に対してスクロール速度が速い場合、階調フォントの文字の視認性が低下することを示す説明図である。図１３は、テレビジョン受信機１が実行する処理により、階調フォントの文字の視認性が向上することを示す説明図である。
【００９９】
図１１Ａは、スクロール後の階調フォントの文字の見え方を示している。図１１Ａにおいて、階調数は文字色及び背景色を含めて６階調である。文字色は白、背景色は黒、輪郭部の中間色は、文字から背景に向かって４段階のグレースケールで色付けされる色である。図１１Ｂは、階調フォントの文字、輪郭部及び背景の階調を示している。横軸は距離であり、縦軸は明るさである。縦軸の上方は明、下方は暗を示している。
図１１の例では、スクロール速度が遅いため、階調フォントの文字は接合していない。また、文字、輪郭部及び背景において、段階的な輝度差が確保されている。
【０１００】
図１２Ａは、スクロール後の階調フォントの文字の見え方を示している。図１２Ａにおける階調数、文字色、背景色、中間色は、図１１Ａと同じである。図１２Ｂは、階調フォントの文字、輪郭部及び背景の階調を示している。図１２Ｂにおける横軸及び縦軸は、図１１Ｂと同じである。
図１２の例では、スクロール速度が速いため、階調フォントの文字が接合している。図１２Ｂに示すように、隣り合う文字の階調差が小さく、階調フォントの文字には低い視認性が認められる。
【０１０１】
図１３Ａは、図１２Ａの階調フォントの文字に対して輪郭部を削除する処理を実行した場合におけるスクロール後の階調フォントの文字の見え方を示している。図１３Ａにおける文字色及び背景色は、図１１Ａと同じである。図１３Ｂは、階調フォントの文字及び背景の階調を示している。図１３Ｂにおける横軸及び縦軸は、図１１Ｂと同じである。図１３Ｂにおける点線は、図１２Ｂに対応する階調フォントの文字、輪郭部及び背景の階調を示している。図１３Ｂにおける実線は、処理後の階調フォントの文字及び背景の階調を示している。
図１３より、文字及び背景を２階調に設定することで、文字と背景との階調差が大きくなり、スクロール表示された場合であっても、文字の視認性が低下しないことがわかる。
【０１０２】
ＣＰＵ１８（判定部４３）は、算出した残像幅ｇが文字間隔ｐ以上か否かを判定する。ＣＰＵ１８は、ｇ＜ｐであると判定した場合（図１１）、何もしない。これにより、テレビジョン受信機１は、各構成部にかかる負荷を抑制することができる。
他方、ＣＰＵ１８は、ｇ≧ｐであると判定した場合（図１２）、階調フォントの文字の輪郭部における各階調に対応する輪郭部分を、階調数が（αｎ−（ｇ−ｐ））/αになるように削除する。あるいは、ＣＰＵ１８は、輪郭部の全てを削除してもよい（図１３）。これにより、テレビジョン受信機１は、階調フォントの文字列の視認性を向上させることができる。
【０１０３】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【０１０４】
１      テレビジョン受信機
１１    受信部
１４    画像処理部（重畳部）
１５    表示部（画面）
１８    ＣＰＵ（算出部、判定部、低減部、応答時間算出部）
２０    記憶部
４１    応答時間算出部
４２    残像幅算出部（算出部）
４３    判定部
４４    低減部
１Ｐ    プログラム
１Ｄ    階調フォントデータベース
１Ａ    グラフィックアプリケーション
【図１】
2014066762.tif 000003
【図２】
2014066762.tif 000004
【図３】
2014066762.tif 000005
【図４】
2014066762.tif 000006
【図５】
2014066762.tif 000007
【図１０】
2014066762.tif 000008
【図１３】
2014066762.tif 000009
【図６】
2014066762.tif 000010
【図７】
2014066762.tif 000011
【図８】
2014066762.tif 000012
【図９】
2014066762.tif 000013
【図１１】
2014066762.tif 000014
【図１２】
2014066762.tif 000015